(57)【要約】      （修正有）【課題】画像投射装置において、ファンのサイズを大きくすることなく、良好な冷却を行えるようにする。【解決手段】画像投射装置は、光源１からの光を用いて画像を投射し、投射輝度が異なる複数の投射モードの選択が可能であるとともに複数の設置姿勢の選択が可能である。該装置は、光源に供給される電力を制御する制御手段１２，９と、該装置の周辺温度を検出する温度検出手段１０とを有する。制御手段は、温度検出手段により検出された周辺温度が閾値に達したことに応じて上記電力を変更する。制御手段は、選択された設置姿勢と選択された投射モードのうち少なくとも一方に応じて上記閾値を変更する。【選択図】図１
2015225213.tif 000002
【特許請求の範囲】
【請求項１】
光源からの光を用いて画像を投射し、投射輝度が異なる複数の投射モードの選択が可能であるとともに複数の設置姿勢の選択が可能な画像投射装置であって、
前記光源に供給される電力を制御する制御手段と、
該画像投射装置の周辺温度を検出する温度検出手段とを有し、
前記制御手段は、前記温度検出手段により検出された前記周辺温度が閾値に達したことに応じて前記電力を変更し、
選択された前記設置姿勢と選択された前記投射モードのうち少なくとも一方に応じて前記閾値を変更することを特徴とする画像投射装置。
【請求項２】
前記閾値として、前記周辺温度が増加する場合に用いられる第１の閾値と減少する場合に用いられる第２の閾値とを有し、
前記制御手段は、選択された前記設置姿勢と選択された前記投射モードのうち少なくとも一方に応じて前記第１および第２の閾値の双方を変更することを特徴とする画像投射装置。
【請求項３】
該画像投射装置の内部を冷却するためのファンを有しており、
前記制御手段は、前記選択された前記設置姿勢と選択された前記投射モードのうち少なくとも一方に応じて、前記ファンの回転数を変更することを特徴とする請求項１または２に記載の画像投射装置。
【請求項４】
前記投射モードとして、第１の投射モードと、該第１の投射モードよりも静音性が求められる第２の投射モードとを有し、
前記制御手段は、
前記第１の投射モードが選択されたときは、前記周辺温度が増加して前記閾値に達したことに応じて前記ファンの回転数を増加させ、
前記第２の投射モードが選択されたときは、前記周辺温度が増加して前記閾値に達したことに応じて前記電力を低下させることを特徴とする請求項３に記載の画像投射装置。
【請求項５】
前記投射モードとして、第１の投射モードと、該第１の投射モードよりも静音性が求められる第２の投射モードとを有し、
前記制御手段は、
前記第１の投射モードが選択されたときは、前記周辺温度が低下して前記閾値に達したことに応じて前記電力を増加させ、
前記第２の投射モードが選択されたときは、前記周辺温度が低下して前記閾値に達したことに応じて前記ファンの回転数を低下させることを特徴とする請求項３に記載の画像投射装置。
【請求項６】
光源からの光を用いて画像を投射し、投射輝度が異なる複数の投射モードの選択が可能であるとともに複数の設置姿勢の選択が可能な画像投射装置に設けられたコンピュータに、前記光源に供給される電力の制御を行わせるコンピュータプログラムであって、
前記画像投射装置の周辺温度を取得し、
取得した前記周辺温度が閾値に達したことに応じて前記電力を変更し、
選択された前記設置姿勢と選択された前記投射モードのうち少なくとも一方に応じて前記閾値を変更することを特徴とする画像投射装置の制御プログラム。
【発明の詳細な説明】
【技術分野】
【０００１】
本発明は、液晶プロジェクタ等の画像投射装置に関する。
【背景技術】
【０００２】
上記のような画像投射装置は、プレゼンテーション、ホームシアター、プラネタリウム等の様々な用途に用いられ、各用途に応じた投射画像の明るさ（投射輝度）を得ることができるように複数の投射モードを選択可能となっているものが多い。また、画像投射装置の設置の仕方についても、据置き、天吊り、上向きおよび下向き等、複数の設置姿勢を選択することができる。一方、画像投射装置の内部には、熱を発生する光源（ランプ）や光学素子（液晶パネルや偏光板等）が配置されており、これらを十分に冷却する必要がある。画像投射装置での冷却には、一般には空気流を生成するための電動ファンが用いられる。そして、ファンの回転数は、画像投射装置の周辺温度（環境温度）に応じて制御されることが多い。具体的には、温度センサにより検出された環境温度が所定の温度閾値まで増加または減少することに応じて、ファンの回転数を高くしたり低くしたりする。
【０００３】
ただし、画像投射装置の冷却効率（特に排気効率）はその設置姿勢に応じて異なる。冷却効率が高くない設置姿勢でも十分な冷却が行えるように、ファンのサイズを大きくすることも可能であるが、これでは装置全体が大型化するという問題がある。
【０００４】
特許文献１には、温度センサにより検出した環境温度に応じて、段階的に光源の出力を変更する画像投射装置が開示されている。
【先行技術文献】
【特許文献】
【０００５】
【特許文献１】特開２００３−４３５８５号公報
【発明の概要】
【発明が解決しようとする課題】
【０００６】
しかしながら、特許文献１にて開示された画像投射装置のように光源の出力を環境温度に応じて段階的に変更するだけでは、環境温度の変動に伴い投射画像の明るさ（投射輝度）が頻繁に暗くなったり明るくなったりして、鑑賞者に不快感を与えるおそれがある。また、複数の投射モードが選択可能である場合に、投射モードにかかわらず同じ環境温度で光源の出力を変化させることが適切でない場合もある。例えば、明るい画像を投射するプレゼンテーション用投射モードと暗めの画像を投射するホームシアター用投射モードとではもともとの光源の設定出力が異なる。これらの投射モードにおいて同じ環境温度で光源の出力を変更すると、前者の投射モードで冷却が不十分になったり、後者の投射モードで冷却は十分であるが画像が暗くなりすぎたりする。
【０００７】
本発明は、ファンのサイズを大きくすることなく、良好な冷却を行えるようにした画像投射装置およびその制御プログラムを提供する。
【課題を解決するための手段】
【０００８】
本発明の一側面としての画像投射装置は、光源からの光を用いて画像を投射し、投射輝度が異なる複数の投射モードの選択が可能であるとともに複数の設置姿勢の選択が可能である。該画像投射装置は、光源に供給される電力を制御する制御手段と、該画像投射装置の周辺温度を検出する温度検出手段とを有する。制御手段は、温度検出手段により検出された周辺温度が閾値に達したことに応じて上記電力を変更する。さらに、制御手段は、選択された設置姿勢と選択された投射モードのうち少なくとも一方に応じて上記閾値を変更することを特徴とする。
【０００９】
また、本発明の他の一側面としての制御プログラムは、光源からの光を用いて画像を投射し、投射輝度が異なる複数の投射モードの選択が可能であるとともに複数の設置姿勢の選択が可能な画像投射装置に設けられたコンピュータに、光源に供給される電力の制御を行わせるコンピュータプログラムである。該制御プログラムは、画像投射装置の周辺温度を取得し、取得した周辺温度が閾値に達したことに応じて上記電力を変更する。さらに、該制御プログラムは、選択された設置姿勢と選択された投射モードのうち少なくとも一方に応じて上記閾値を変更することを特徴とする。
【発明の効果】
【００１０】
本発明によれば、投射モードや設置姿勢に応じて光源への供給電力（光源の出力）を変更する周辺温度の閾値を異ならせるので、ファンのサイズを大きくすることなく、周囲温度の変動に伴う光源の出力の変更を適切に行うことができる。これにより、各投射モードや各設置姿勢において画像投射装置の内部の冷却を良好に行うことができる。
【図面の簡単な説明】
【００１１】
【図１】本発明の実施例１である液晶プロジェクタの構成を示す図。
【図２】実施例１におけるランプ出力を制御するための構成を示ブロック図。
【図３】実施例１における温度閾値を設定する処理を示すフローチャート。
【図４】実施例１におけるランプ出力を制御する処理を示すフローチャート。
【図５】実施例１における温度閾値を補正するための設置姿勢および投射モードごとの補正値を示す図。
【図６】実施例１における設置姿勢および投射モードの組み合わせごとの温度閾値を示す図。
【図７】実施例１におけるランプ出力およびファン回転数を制御する処理を示すフローチャート。
【発明を実施するための形態】
【００１２】
以下、本発明の実施例について図面を参照して説明する。
【実施例１】
【００１３】
図１には、本発明の実施例１である画像投射装置としての液晶プロジェクタ（以下、単にプロジェクタという）の構成を示している。図１において、１は光源としてのランプ（放電発光管）であり、超高圧水銀ランプ等が用いられる。なお、光源として、ＬＥＤやレーザ素子等、ランプ以外の発光体を用いてもよい。αはランプ１からの光を色分解合成光学系βに導く照明光学系である。照明光学系αは、ランプ１からの無偏光光を直線偏光光に変換する偏光分離素子や、ランプ１からの光を複数の光束に分割するフライアイレンズや、該複数の分割光束を後述する液晶パネル上で重ね合わせるコンデンサレンズ等が含まれる。
【００１４】
色分解合成光学系βは、照明光学系αからの白色光を赤（Ｒ）光、緑（Ｇ）光および青（Ｂ）光に分解してＲ用、Ｇ用およびＢ用の光変調素子である液晶パネル（図示せず）に導く。さらに、色分解合成光学系βは、これら液晶パネルで変調されたＲ光、Ｇ光およびＢ光を合成して投射レンズ（投射光学系）２に導く。投射レンズ２は、合成されたＲＧＢ光を不図示のスクリーン等の被投射面に導く。
【００１５】
３はプロジェクタの筐体１３に形成された開口としての吸気口であり、筐体１３内に塵埃が入ることを防止するための不図示のエアフィルタを備えている。筐体１３は、ランプ１、照明光学系αおよび色分解合成光学系βのほか、後述する冷却ファン４，５，６、排気ファン７、電源部８、電力変更部９，メインコントローラｌ２、温度センサ１０および姿勢センサ１１等を収容する。
【００１６】
冷却ファン４〜６のうち、４は発熱体であるランプ１を冷却するためのランプ冷却ファンである。５は吸気口３から取り込まれた空気（外気）により照明光学系α（主として偏光変換素子等）を冷却する照明系冷却ファンである。６は吸気口３から取り込まれた空気により、液晶パネルを含む色分解合成光学系β（主として発熱体となる液晶パネルや偏光板等）を冷却する色分解合成系冷却ファンである。また、７は筺体１３内で冷却に用いられて高温となった空気を筺体外に排気する排気ファンである。
【００１７】
図２には、メインコントローラ１２、電力変更部９、電源部８、温度センサ１０および姿勢センサ１１を含み、ランプ１への供給電力を制御する光源電力制御系の構成を示している。
【００１８】
電源部８は、ランプ１に発光のための電力を供給する。電力変更部９は、後述するメインコントローラ１２からの指令信号に応じて電源部８からランプ１に供給される電力を変更する。
【００１９】
温度センサ１０は、プロジェクタの周辺の温度である周辺温度（以下、環境温度という）を検出する温度検出手段としての温度センサである。温度センサ１０は、環境温度に比例した電圧を出力するＩＣにより構成されている。温度センサ１０は、筐体１３の周辺の環境温度を正確に検出できる位置、例えば吸気口３の近傍に配置することが好ましい。
【００２０】
姿勢センサ１１は、プロジェクタの姿勢を検出して電気信号を出力するＩＣにより構成されている。姿勢センサ１１からの出力により、プロジェクタの設置方法（設置姿勢）が、机上に設置する据置きか、据置きとは天地を逆にして天井から吊り下げる天吊りか、天井に向けて画像を投射可能な上向きか、床面に向けて画像を投射する下向きかを判別することができる。
【００２１】
なお、姿勢センサ１１は必ずしも設けなくてもよく、ユーザがプロジェクタの操作部（例えば、オンスクリーン操作メニュー）を通じて、設置姿勢が据置きか天吊りか上向きか下向きかを選択（入力）するようにしてもよい。
【００２２】
メインコントローラ１２は、ＣＰＵやＲＯＭ等により構成されるコンピュータである。メインコントローラ１２は、コンピュータプログラムに従って、前述した電源コントローラ９を通じてランプ１への供給電力、つまりはランプ１の出力を制御したり本プロジェクタにおける他の全ての動作を制御したりする。メインコントローラ１２と電源コントローラ９とにより制御手段が構成される。
【００２３】
また、メインコントローラ１２は、ユーザが操作部を通じて選択した投射モードに応じて、ランプ１への供給電力（ランプ１の出力）を制御する。本実施例では、複数の投射モードとしてスタンダードモード、プレゼンテーションモードおよびシネマモードを有し、これらの中からユーザが用途に応じた投射モードを選択する。
【００２４】
図５に、スタンダードモード、プレゼンテーションモードおよびシネマモードにおいて要求される投射画像の明るさ（投射輝度）とプロジェクタの動作音（主として冷却ファンから発せられる音）に関して要求される静音性の比較を示している。スタンダードモードは、本プロジェクタの標準的な投射モードであり、このスタンダードモードでの投射輝度および静音性を標準（それぞれ「中」と「○」で示す）とする。
【００２５】
プレゼンテーションモードは、明るい会議室内で鮮明な画像を投射して行われるプレゼンテーションに適した投射モードである。このプレゼンテーションモードで要求される投射輝度はスタンダードモードに比べて高く、要求される静音性はスタンダードモードに比べて低い（△）。
【００２６】
シネマモードは、暗い室内で映画等の画像を鑑賞するのに適した投射モードである。このプレゼンテーションモードで要求される投射輝度はスタンダードモードに比べて低く、要求される静音性はスタンダードモードに比べて高い（◎）。
【００２７】
次に、メインコントローラ１２が電力変更部９を通じて行うランプ１の出力（以下、ランプ出力という）の制御について、図３および図４のフローチャートを用いて説明する。メインコントローラ１２は、この制御を、コンピュータプログラムである電力制御プログラムに従って実行する。
【００２８】
まず、図３に示すフローチャートを用いて、ランプ出力の制御に用いる温度閾値ＴＨ１，ＴＨ２の設定処理について説明する。ステップＳ１では、メインコントローラ１２は、姿勢センサ１１からの出力に基づいてプロジェクタの設置姿勢を検出する。前述したように設置姿勢がユーザの操作により入力される場合は、メインコントローラ１２は、このステップにおいて、入力された設置姿勢を取り込む。
【００２９】
次に、ステップＳ２において、メインコントローラ１２は、検出された（または取り込まれた）設置姿勢が据置きか否かを判別する。据置きであればステップＳ５に進み、据置きでなければステップＳ３に進む。
【００３０】
ステップＳ３では、メインコントローラ１２は、設置姿勢が天吊りか否かを判別する。天吊りであればステップＳ６に進み、天吊りでなければステップＳ４に進む。
【００３１】
ステップＳ４では、メインコントローラ１２は、設置姿勢が上向きか否かを判別する。上向きであればステップＳ７に進み、上向きでない、つまりは下向きである場合はステップＳ８に進む。
【００３２】
ステップＳ３では、メインコントローラ１２は、姿勢フラグＦＡに１をセットする。同様に、ステップＳ６，Ｓ７，Ｓ８ではそれぞれ、メインコントローラ１２は、姿勢フラグＦＡに２，３，４をセットする。
【００３３】
次に、ステップＳ９において、メインコントローラ１２は、現在設定されている投射モードがスタンダードモードか否かを判別する。スタンダードモードであればステップＳ１１に進み、スタンダードモードでなければステップＳ１０に進む。
【００３４】
ステップＳ１０では、メインコントローラ１２は、現在設定されている投射モードがプレゼンテーションモードか否かを判別する。プレゼンテーションモードであればステップＳ１２に進み、プレゼンテーションモードでなければ、つまりはシネマモードであればステップＳ１３に進む。
【００３５】
ステップＳ１１では、メインコントローラ１２は、モードフラグＦＭに１をセットする。同様にステップＳ１２，Ｓ１３ではそれぞれ、メインコントローラ１２は、モードフラグＦＭに２，３をセットする。
【００３６】
次に、ステップＳ１４では、メインコントローラ１２は、姿勢フラグＦＡとモードフラグＦＭの組み合わせ、つまりは設置姿勢と投射モードの組み合わせに応じた温度閾値を設定する。本実施例では、温度閾値として、温度センサ１０により検出される環境温度（以下、検出温度ともいう）が上昇している場合に用いる温度閾値（第１の閾値）ＴＨ１と、検出温度が低下している場合に用いる温度閾値（第２の閾値）ＴＨ２とを設定する。ＴＨ１は、検出温度が上昇してこれに達するとランプ出力を低下させる温度である。ＴＨ２は、検出温度が低下してこれに達するとランプ出力を増加させる温度である。ＴＨ１とＴＨ２は、設置姿勢と投射モードの組み合わせにかかわらず、ＴＨ１＞ＴＨ２の関係を有する。
【００３７】
このように検出温度の上昇時と低下時とで用いる温度閾値を異ならせることにより、環境温度のわずかな増減の繰り返しによりランプ出力の増減が繰り返されてユーザに不快感を与えるような投射輝度の変動の繰り返しが生じることを回避することができる。
【００３８】
図５には、設置姿勢と投射モードの組み合わせごとのＴＨ１，ＴＨ２を示している。設置姿勢に応じてＴＨ１，ＴＨ２を異ならせるのは、筐体１３の一部に設けられた排気ファン７の位置の関係から、設置姿勢によって排気ファン７による排気効率に差が生じるためである。本実施例のプロジェクタでは、排気ファン７が筐体１３における投射レンズ２とは反対側に配置され、投射レンズ２からの画像投射方向とは反対方向に向けて排気する。このため、図５に示すように、据置きと天吊りでの排気効率はともに標準的な値（「中」）であり、これらに比べて、上向きでの排気効率は低く、下向きでの配置効率は高い。
【００３９】
また、投射モードに応じてＴＨ１，ＴＨ２を異ならせるのは、前述したように投射モードごとに要求される投射輝度が互いに異なり、投射輝度が高いほど筐体１３内でランプ１や照明および色分解合成光学系α，βから発生する熱が多くなるためである。
【００４０】
本実施例では、据置きと天吊りにおけるスタンダードモードでのＴＨ１，ＴＨ２をそれぞれ標準値であるＡ，Ｂ（ただし、Ａ＞Ｂ）とする。これに対して、同じ据置きと天吊りにおけるスタンダードモードよりも投射輝度が高いプレゼンテーションモードでのＴＨ１，ＴＨ２をそれぞれ、Ａ，Ｂよりも低いＡ−ｘ，Ｂ−ｘとする。一方、同じ据置きと天吊りにおけるスタンダードモード（第１の投射モード）よりも投射輝度が低いシネマモード（第２の投射モード）でのＴＨ１，ＴＨ２をそれぞれ、Ａ，Ｂよりも高いＡ＋ｙ，Ｂ＋ｙとする。ｘ，ｙはそれぞれ、プレゼンテーションモードおよびシネマモードにおいてＡ，Ｂを補正するための補正値である。
【００４１】
また、据置きと天吊りよりも排気効率が低い上向きにおけるスタンダードモードでのＴＨ１，ＴＨ２をそれぞれ、Ａ，Ｂよりも低いＡ−ｎ，Ｂ−ｎとする。これに対して、同じ上向きにおけるプレゼンテーションモードおよびシネマモードでのＴＨ１，ＴＨ２をそれぞれ、Ａ−ｎ−ｘ，Ｂ−ｎ−ｘおよびＡ−ｎ＋ｙ，Ｂ−ｎ＋ｙとする。ｎは上向きにおいてＡ，Ｂを補正するための補正値である。
【００４２】
さらに、据置きと天吊りよりも排気効率が高い下向きにおけるスタンダードモードでのＴＨ１，ＴＨ２をそれぞれ、Ａ，Ｂよりも高いＡ＋ｍ，Ｂ＋ｍとする。これに対して、同じ下向きにおけるプレゼンテーションモードおよびシネマモードでのＴＨ１，ＴＨ２をそれぞれ、Ａ＋ｍ−ｘ，Ｂ＋ｍ−ｘおよびＡ＋ｍ＋ｙ，Ｂ＋ｍ＋ｙとする。ｍは下向きにおいてＡ，Ｂを補正するための補正値である。
【００４３】
図６（Ａ）には、据置きと天吊りにおけるスタンダードモードでのＴＨ１＝Ａ，ＴＨ２＝Ｂを示している。図６（Ｂ）には、据置きと天吊りにおけるプレゼンテーションモードでのＴＨ１＝Ａ−ｘ，ＴＨ２＝Ｂ−ｘと、据置きと天吊りにおけるシネマモードでのＴＨ１＝Ａ＋ｙ，ＴＨ２＝Ｂ＋ｙを示している。図６（Ｃ）には、上向きにおけるプレゼンテーションモードでのＴＨ１＝Ａ−ｎ，ＴＨ２＝Ｂ−ｎを示している。図６（Ｄ）には、下向きにおけるプレゼンテーションモードでのＴＨ１＝Ａ＋ｍ，ＴＨ２＝Ｂ＋ｍを示している。
【００４４】
こうして、本実施例では、設置姿勢と投射モードの組み合わせに応じて、ランプ出力を減少および増加させる温度閾値ＴＨ１，ＴＨ２を補正（変更）する。
【００４５】
なお、本実施例では、設置姿勢と投射モードの双方に応じて温度閾値を変更する場合について説明しているが、設置姿勢と投射モードのうち一方に応じて温度閾値を変更してもよい。すなわち、設置姿勢と投射モードのうち少なくとも一方に応じて温度閾値を変更することで、上述した効果が得られる。
【００４６】
最後にステップＳ１５では、メインコントローラ１２は、操作部を通じてユーザにより投射モードが変更されたか否かを判別する。投射モードが変更された場合はステップＳ９に戻ってモードフラグを更新し（ステップＳ９〜Ｓ１３）、ステップＳ１４で新たな投射モードに対応する温度閾値ＴＨ１，ＴＨ２を設定する。
【００４７】
次に、図４に示すフローチャートを用いて、上記のように設定された温度閾値ＴＨ１，ＴＨ２を用いたランプ出力の制御処理について説明する。ステップＳ２１では、メインコントローラ１２は、温度センサ１０を通じて検出温度としての現在の環境温度Ｔｃを取得（検出）する。
【００４８】
そして、ステップＳ２２において、メインコントローラ２２は、現在の環境温度Ｔｃと前回取得した環境温度Ｔｐとの差ΔＴを算出する。また、この後、メインコントローラ１２は、現在の環境温度Ｔｃを次回のステップＳ２２での計算に用いる前回の環境温度Ｔｐとして記憶する。
【００４９】
次に、ステップＳ２３では、メインコントローラ１２は、ステップＳ２２で算出したΔＴが正（＋）か否か、すなわち現在の環境温度Ｔｃが前回の環境温度Ｔｐに対して上昇したか否かを判別する。メインコントローラ１２は、環境温度Ｔｃが上昇したと判別した場合はステップＳ２４に進み、ΔＴが負（−）である場合、すなわち現在の環境温度Ｔｃが前回の環境温度Ｔｐに対して低下した場合はステップＳ２５に進む。また、ΔＴが０のときは、メインコントローラ１２は、ステップＳ２１に戻り、再び現在（次回）の環境温度Ｔｃを検出する。
【００５０】
ステップＳ２４では、メインコントローラ１２は、現在の環境温度Ｔｃが温度閾値ＴＨ１以上か否か（温度閾値ＴＨ１に達したか否か）を判別する。ＴｃがＴＨ１以上である場合はステップＳ２６に進み、そうでない場合はステップＳ２１に戻る。
【００５１】
ステップＳ２６では、メインコントローラ１２は、電力変更部９を通じてランプ１に供給する電力を所定量減少させ、ランプ出力を低下させる。そして、ステップＳ２１に戻る。
【００５２】
一方、ステップＳ２５では、メインコントローラ１２は、現在の環境温度Ｔｃが温度閾値ＴＨ２以下か否か（温度閾値ＴＨ２に達したか否か）を判別する。ＴｃがＴＨ２以下である場合はステップＳ２７に進み、そうでない場合はステップＳ２１に戻る。
【００５３】
ステップＳ２７では、メインコントローラ１２は、電力変更部９を通じてランプ１に供給する電力を所定量増加させ、ランプ出力を増加させる。そして、ステップＳ２１に戻る。
【００５４】
以上説明したように、本実施例では、選択された設置姿勢と選択された投射モードのうち少なくとも一方に応じて温度閾値ＴＨ１，ＴＨ２を補正（変更）する。このため、冷却ファンや排気ファンのサイズを大きくすることなく、各設置姿勢および各投射モードにおいて環境温度の変動に伴うランプ出力の変更を適切に行い、プロジェクタの内部（発熱体）の冷却を良好に行うことができる。
【実施例２】
【００５５】
次に、本発明の実施例２について説明する。本実施例におけるプロジェクタの構成は実施例１と同じであるので、各構成要素には実施例１と同符号を付す。
【００５６】
実施例１では、現在の環境温度Ｔｃが温度閾値ＴＨ１または温度閾値ＴＨ２に達することに応じて直ぐにランプ出力を低下または増加させる場合について説明した。しかし、ランプ出力を変更する前に、冷却ファン４〜６および排気ファン７の回転数を増加または低下させてもよい。ただし、シネマモードでは、スタンダードモードやプレゼンテーションモードよりも高い静音性と明るすぎない投射輝度が求められる。このため、冷却ファン４〜６および排気ファン７の回転数（以下、ファン回転数という）を増加させずにランプ出力を低下させたり、ランプ出力を増加させずにファン回転数を低下させたりするようにしてもよい。
【００５７】
図７のフローチャートには、実施例１と同様に設定された温度閾値ＴＨ１，ＴＨ２を用いた本実施例でのランプ出力およびファン回転数の制御処理を示している。なお、図７中のステップＳ２１〜Ｓ２７は実施例１において図４に示したステップＳ２１〜Ｓ２７と同じであるため、これらの説明は省略する。
【００５８】
ステップＳ２４において現在の環境温度Ｔｃが温度閾値ＴＨ１以上であると判別したメインコントローラ１２は、ステップＳ３１において、現在設定されている投射モードがシネマモードか否かを判別する。メインコントローラ１２は、現在の投射モードがシネマモードである場合はステップＳ２６に進み、ランプ出力を低下させる。一方、現在の投射モードがシネマモードではない（スタンダードモードまたはプレゼンテーションモードである）場合はステップＳ３２に進む。
【００５９】
ステップＳ３２では、メインコントローラ１２は、ファン回転数を増加させることが可能か否か、つまりは現在のファン回転数が最大に達していないか否かを確認する。メインコントローラ１２は、ファン回転数を増加させることが可能である場合はステップＳ３３に進み、そうでない場合はステップＳ２６に進んでランプ出力を低下させる。
【００６０】
このように、高い静音性が求められないスタンダードおよびプレゼンテーションモードにおいてランプ出力を低下させる前にまずファン回転数を増加させることで、明るい投射輝度を維持しつつプロジェクタ内部の冷却を良好に行うことができる。一方、シネマモードにおいてファン回転数を増加させずにランプ出力を低下させることで、高い静音性を維持しつつプロジェクタ内部の冷却を良好に行うことができる。
【００６１】
ステップＳ３３では、メインコントローラ１２は、ファン出力を所定量増加させる。そして、ステップＳ２１に戻る。
【００６２】
また、ステップＳ２５において現在の環境温度Ｔｃが温度閾値ＴＨ２以下であると判別したメインコントローラ１２は、ステップＳ３４において、現在設定されている投射モードがシネマモードか否かを判別する。メインコントローラ１２は、現在の投射モードがシネマモードでない場合はステップＳ２７に進み、ランプ出力を増加させる。一方、現在の投射モードがシネマモードである場合はステップＳ３５に進む。
【００６３】
ステップＳ３５では、メインコントローラ１２は、ファン出力を低下させることが可能か否か、つまりは現在のファン出力が最低の状態か否かを確認する。メインコントローラ１２は、ファン出力を低下させることが可能である場合はステップＳ３６に進み、そうでない場合はステップＳ２７に進んでランプ出力を増加させる。
【００６４】
ステップＳ３６では、メインコントローラ１２は、ファン出力を所定量低下させる。そして、ステップＳ２１に戻る。
【００６５】
このように、投射輝度が明るい方が好ましいスタンダードおよびプレゼンテーションモードでは、ファン回転数を低下させずにランプ出力を増加させる。これにより、ステップＳ２６で一旦ランプ出力が低下した場合でも、望ましい投射輝度を早期に回復することができる。一方、シネマモードにおいてランプ出力を増加させる前にまずファン回転数を低下させることで、明るすぎない投射輝度とより高い静音性を確保しつつプロジェクタ内部の冷却を良好に行うことができる。
【００６６】
以上説明した各実施例は代表的な例にすぎず、本発明の実施に際しては、各実施例に対して種々の変形や変更が可能である。
【符号の説明】
【００６７】
１  ランプ
９  電力変更部
１０  温度センサ
１１  姿勢センサ
１２  メインコントローラ
【図１】
2015225213.tif 000003
【図２】
2015225213.tif 000004
【図３】
2015225213.tif 000005
【図４】
2015225213.tif 000006
【図５】
2015225213.tif 000007
【図６】
2015225213.tif 000008
【図７】
2015225213.tif 000009